(57)【要約】【課題】台風などの強風に見舞われても、排水口から外れて吹き飛ばされることのないストレーナが望まれている。【解決手段】このストレーナ１は、屋外床に形成された排水口を通水可能に塞ぐ漉し板部２ａと、漉し板部２ａの下面２Ｂに設けられた支持部５と、３本の脚部材１２ａの一端部１２Ａを収容する支持部５内の支持用空間Ｌと、漉し板部２ａおよび支持部５の支持基台１５を上下貫通して設けられていて漉し板部２ａの外部空間Ｍと支持部５の支持用空間Ｌとを連通する雌ネジ部１６と、雌ネジ部１６に螺合する雄ネジ部材１１とを備えて成り、雌ネジ部１６にねじ込まれた雄ネジ部材１１が支持用空間Ｌ内で脚部材１２ａの一端部１２Ａを押し下げて脚部材１２ａを揺動させることにより、脚部材１２ａの他端部１２Ｂを排水口内の内周壁に圧接させて漉し板部２ａを固定するものである。【選択図】図１０
2015001055.tif 000002
【特許請求の範囲】
【請求項１】
屋外床に形成された排水口を通水可能に塞ぐ漉し板部と、
漉し板部の下面に設けられていて少なくとも２本の脚部材の一端部を揺動自在に支持する支持部と、
支持部内に形成されていて各脚部材の一端部を収容する支持用空間と、
漉し板部および支持部の上部を上下貫通して設けられていて漉し板部の外部空間と支持部の支持用空間とを連通する雌ネジ部と、
雌ネジ部に螺合する雄ネジ部材と、を備えて成り、
雌ネジ部にねじ込まれた雄ネジ部材が支持用空間内で脚部材の一端部を押し下げて脚部材を揺動させることにより、脚部材の他端部を排水口内の内周壁に圧接させて漉し板部を固定する構成と成っていることを特徴とする排水口のストレーナ。
【請求項２】
漉し板部が反転椀状に形成され、漉し板部の下面には有底筒状の筒体部が垂設され、筒体部の途中には漉し板部の内部空間に開口する通水口が形成され、筒体部の底部には支持部が設けられ、筒体部内は漉し板部の通水口と外部空間とを連通するオーバーフロー管路と成っていることを特徴とする請求項１に記載の排水口のストレーナ。
【請求項３】
漉し板部が水平板部と垂直板部とから成る側面視Ｌ字状に形成され、前記支持部と、前記少なくとも２本の脚部材と、前記雄ネジ部材とから成る固定機構が、漉し板部の垂直板部に設けられ、垂直板部の支持部の支持用空間と漉し板部の外部空間とを連通する雌ネジ部が前記支持部に形成されていることを特徴とする請求項１または請求項２に記載の排水口のストレーナ。
【発明の詳細な説明】
【技術分野】
【０００１】
本発明は、ベランダ床や水平ルーフなどの屋外床に形成された排水口を通水可能に塞ぐ漉し板部を有するストレーナに関するものである。
【背景技術】
【０００２】
図１５に示すようなベランダ２０を備えた住宅建築がよく見かけられる。このベランダ２０は、住宅建築の外壁から屋外に突設された床２１と、床２１の先端に立設された竪壁とから成っている。床２１には排水口２６を有するドレン２７と、ドレン２７につながる排水管とが上下貫通して設置されている。この床２１は排水口２６の位置が最も低くなるように傾斜させてあり、排水管は通常以上の降雨があっても雨水を排出可能な流路断面積を有するものが使用されている。前記の排水口２６を蓋うストレーナ５１は、排水口２６を通水自在に蓋う漉し板部５２と、漉し板部５２の下面に配置されて漉し板部５２の上面側から雄ネジ部材でネジ止めされた棒状部５３と、棒状部５３の下端部に雄ネジ部材で固定されたステンレス鋼製の脚部材６２，６２と、から成っている。漉し板部５２の側面には多数の通水開口５４，５４，５４，・・・が形成されている。脚部材６２，６２は、手ですぼめられた状態で排水口２６内に挿通されたのちにドレン２７内で放されることにより、バネ弾性力により拡がってドレン２７の内周壁に掛止されて固定されるようになっている。このようなストレーナ５１は例えば下記の特許文献１に記載されている。
【先行技術文献】
【特許文献】
【０００３】
【特許文献１】特開２００６−４５８８１号公報
【発明の概要】
【発明が解決しようとする課題】
【０００４】
ところで、風に乗って飛来した落ち葉や食品包装袋などは、風によって或いはベランダ２０に降り注いだ雨水の流れによって、排水口２６に向かいストレーナ５１で留められる。このとき、落ち葉などの量が多ければ、ストレーナ５１の通水開口５４，５４，５４，・・・が塞がれる。一方で、このストレーナ５１は、脚部材６２，６２のバネ弾性力によりドレン２７の内周壁に掛止されているだけなので、前記のように通水開口５４，５４，５４が落ち葉などで塞がれた状態で、台風などの強風から受ける高い風圧抵抗に見舞われると、ストレーナ５１が排水口２６から外れ吹き飛ばされて行方不明になったりすることがあった。
【０００５】
本発明は、上記した従来の問題点に鑑みてなされたものであって、台風などの強風に見舞われても、排水口から外れて吹き飛ばされることのないストレーナの提供を目的とする。
【課題を解決するための手段】
【０００６】
上記の目的を達成するために、本発明に係る排水口のストレーナは、屋外床に形成された排水口を通水可能に塞ぐ漉し板部と、漉し板部の下面に設けられていて少なくとも２本の脚部材の一端部を揺動自在に支持する支持部と、支持部内に形成されていて各脚部材の一端部を収容する支持用空間と、漉し板部および支持部の上部を上下貫通して設けられていて漉し板部の外部空間と支持部の支持用空間とを連通する雌ネジ部と、雌ネジ部に螺合する雄ネジ部材と、を備えて成り、雌ネジ部にねじ込まれた雄ネジ部材が支持用空間内で脚部材の一端部を押し下げて脚部材を揺動させることにより、脚部材の他端部を排水口内の内周壁に圧接させて漉し板部を固定する構成と成っていることを特徴とするものである。
【０００７】
また、前記構成において、漉し板部が反転椀状に形成され、漉し板部の下面には有底筒状の筒体部が垂設され、筒体部の途中には漉し板部の内部空間に開口する通水口が形成され、筒体部の底部には支持部が設けられ、筒体部内は漉し板部の通水口と外部空間とを連通するオーバーフロー管路と成っていることを特徴とするものである。
【０００８】
そして、前記した各構成において、漉し板部が水平板部と垂直板部とから成る側面視Ｌ字状に形成され、前記支持部と、前記少なくとも２本の脚部材と、前記雄ネジ部材とから成る固定機構が、漉し板部の水平板部と垂直板部とにそれぞれ設けられ、水平板部と垂直板部の各支持部の支持用空間と漉し板部の外部空間とを連通する雌ネジ部がそれぞれに形成されていることを特徴とするものである。
【発明の効果】
【０００９】
本発明に係る排水口のストレーナによれば、漉し板部と、雌ネジ部つきの支持部と、雄ネジ部材とを備えていて、雌ネジ部にねじ込まれた雄ネジ部材が支持用空間内で脚部材の一端部を押し下げて脚部材を揺動させることにより、脚部材の他端部が排水口内の内周壁に圧接して漉し板部を固定するようになっているので、台風などの強風から受ける高い風圧抵抗に見舞われても、ストレーナが排水口から外れて飛び去ることを未然に回避することができる。
【００１０】
また、オーバーフロー管路を有する筒体部を備えているものでは、多量の降雨により漉し板部の通水開口だけでは排水が賄えなくなった場合でも、オーバーフロー管路を経由させて雨水を屋外床の排水口から排出することができる。
【００１１】
そして、漉し板部の水平板部と垂直板部とに固定機構がそれぞれ設けられているものでは、水平板部の固定機構が屋外床の排水口に掛止され、垂直板部の固定機構が屋外床と直角の竪壁のオーバーフロー管に掛止されるので、ストレーナを屋外床と竪壁とにしっかりと固定できることから、ストレーナが強風により外れて吹き飛ばされるといった不具合を未然に防ぐことができる。
【図面の簡単な説明】
【００１２】
【図１】本発明の一実施形態に係るストレーナの外観図である。
【図２】前記ストレーナを斜め下方から見上げた斜視図である。
【図３】前記ストレーナの底面図である。
【図４】前記ストレーナの平面図である。
【図５】蓋部材および脚部材を取外した前記ストレーナの底面図である。
【図６】前記蓋部材の斜視図である。
【図７】前記脚部材の側面図である。
【図８】図４におけるＡ−Ａ線矢視断面図である。
【図９】前記ストレーナでベランダの排水口を蓋って使用する態様を示す説明図である。
【図１０】本発明の別の実施形態に係るストレーナの図８に対応した断面図である。
【図１１】本発明の他の実施形態に係るストレーナの平面に展開した状態を示す平面図である。
【図１２】前記他の実施形態のストレーナの要部部品を示した図であって、（ａ）は固定機構の一部分を分解した斜視図、（ｂ）は固定機構の部分断面図である。
【図１３】前記他の実施形態のストレーナの直角姿勢を示す側面図である。
【図１４】前記他の実施形態のストレーナでベランダの排水口およびオーバーフロー管を蓋って使用する態様を示す説明図である。
【図１５】従来のストレーナおよびベランダの排水口近傍を示す縦断面図である。
【発明を実施するための形態】
【００１３】
本発明の実施形態を図面に基づいて説明する。尚、以下に述べる実施形態は本発明を具体化した一例に過ぎず、本発明の技術的範囲を限定するものでない。図１は本発明の一実施形態に係るストレーナの外観図、図２は前記ストレーナを斜め下方から見上げた斜視図、図３は前記ストレーナの底面図、図４は前記ストレーナの平面図を示している。尚、図１５に示したベランダ２０および従来のストレーナ５１と同一の構成要素には、同一の符号を付すとともにその詳細な説明を省略することがある。
各図において、この実施形態に係る排水口のストレーナ１は、天地反転させた御椀のような形状の漉し板部２と、漉し板部２の下面２Ｂに漉し板部２と一体に垂設された有底筒状の筒体部３と、筒体部３の底部３Ａに設けられた支持部５と、支持部５に揺動自在に支持された例えば３本の脚部材１２，１２，１２と、を備えて成り、簡素な構成で安価に提供されている。
【００１４】
漉し板部２の周側面には、縦長で複数条の通水開口４，４，４，・・・が周方向に適宜間隔で形成されている。そして、筒体部３の筒内には、漉し板部２上方の外部空間Ｍと漉し板部２の内部空間Ｎとを連通するオーバーフロー管路６が形成されている。すなわち、漉し板部２の上面２Ａの開口部は、オーバーフロー管路６の取水口７となっている。また、筒体部３における支持部５の手前あたりには、漉し板部２の内部空間Ｎに開口する通水口８，８，８が形成されている。
【００１５】
支持部５は、筒体部３の底部３Ａに筒体部３と一体に形成された支持基台１５と、支持基台１５の下面に蓋止される蓋部材３１と、から主として構成されている。支持部５の支持基台１５は筒体部３と一体に形成されている。支持基台１５の平面中央部には、上下貫通する雌ネジ部１６が形成されている。支持基台１５の下面には、図５に示すように、前記の雌ネジ部１６を中心として放射状に延びる３つの天井溝部１９，１９，１９が上向きに陥入して形成されている。各天井溝部１９内の途中には、下向きに突出した枢支凸部１７がそれぞれ形成されている。天井溝部１９，１９間の支持基台１５の下面には、上向きの雌ネジ穴１８がそれぞれ形成されている。
【００１６】
そして、前記の蓋部材３１は、図６に示すように円盤状に形成されている。蓋部材３１の上面には、平面中央部から放射状に延びる３つの傾斜受面３２，３２，３２が下向きに陥入して形成されている。各傾斜受面３２は半径方向外向きに高くなる傾斜面として形成されている。各傾斜受面３２の幅寸法は、前記した支持基台１５の各天井溝部１９の幅寸法とほぼ同じである。傾斜受面３２，３２間の蓋部材３１には、上下貫通した雌ネジ穴１８がそれぞれ形成されている。この蓋部材３１は、３つの傾斜受面３２，３２，３２が支持基台１５の３つの天井溝部１９，１９，１９とそれぞれ対面した状態で支持基台１５の下面に装着され、ワッシャ３５付きのボルト３４が各挿通孔３３を通されて支持基台１５の雌ネジ穴１８に螺止されることにより支持基台１５に固定される。これによって、支持部５の組立てが完了する。
【００１７】
このとき、支持部５内には、３つの脚部材１２，１２，１２の一端部１２Ａ，１２Ａ，１２Ａを収容するための支持用空間Ｌが形成され、脚部材１２，１２，１２が覗いている３つの開口部３６，３６，３６も形成される。尚、蓋部材３１を支持基台１５の下面に装着するに先立って、脚部材１２，１２，１２の一端部１２Ａ，１２Ａ，１２Ａが支持基台１５の天井溝部１９，１９，１９に宛がわれ、且つ、天井溝部１９，１９，１９の枢支凸部１７，１７，１７に一端部１２Ａ，１２Ａ，１２Ａの枢支凹部１２Ｃ，１２Ｃ，１２Ｃが嵌着された状態にされている。これにより、３本の脚部材１２，１２，１２の一端部１２Ａ，１２Ａ，１２Ａが支持部５に揺動自在に支持される。そして、支持基台１５の雌ネジ部１６に雄ネジ部材１１がネジ込まれると、雄ネジ部材１１のネジ先端部１１Ａが支持基台１５の天井面から支持用空間Ｌ内に出てくるようになっている。
【００１８】
そして、図７に示すように、各脚部材１２は、上端の一端部１２Ａが部材本体に対し９０度ほど屈折して形成されている。一端部１２Ａの上面には、下向きに陥入した枢支凹部１２Ｃが形成されている。各脚部材１２の揺動側である他端部１２Ｂ近傍には、滑り止め用で弾性合成樹脂製の弾性チューブ１０がそれぞれ装着されている。すなわち、雌ネジ部１６を有する支持部５と、３本の脚部材１２，１２，１２と、雌ネジ部材１１とから、濾し部材２を屋外床の排水口など固定するための、固定機構９が構成される。これらの、漉し板部２、筒体部３、および支持基台１５は、例えばアルミニウムダイカスト製法により一体に形成されている。脚部材１２も例えばアルミニウムダイカスト製である。
【００１９】
尚、一体構成の漉し板部、筒体部および支持基台の材料としては、前記したアルミニウムダイカストに限らず、耐候性合成樹脂であるところの、例えば硬質ポリ塩化ビニル、軟質ポリ塩化ビニル、フェノール樹脂、ＡＢＳ樹脂、ポリプロピレンなど、またはこれらの表面にメッキを施したもの、あるいは他の金属材料を用いて一体成形したものでも構わない。
【００２０】
続いて、上記のように構成されたストレーナ１の作用を、図８および図９を主に用い図１〜図７も併用して説明する。
ベランダ２０の床２１（屋外床の例）に形成された排水口２６を、漉し板部２によって通水可能に塞ぐために、まず、ねじ回しなどを用いて雄ネジ部材１１が反時計回りに回されると、脚部材１２，１２，１２の一端部１２Ａ，１２Ａ，１２Ａが上昇し、他端部１２Ｂ，１２Ｂ，１２Ｂがストレーナ軸心に向けて揺動してすぼむ。脚部材１２，１２，１２が排水口２６内に挿入され、濾し部材２の周縁部が排水口２６周囲の床２１上に載せられる。次に、雄ネジ部材１１が時計回り（図８中の矢印Ｒ方向）に回転されると、雄ネジ部材１１が雌ネジ部１６を螺進し、雄ネジ部材１１のネジ先端部１１Ａが支持用空間Ｌ内で下降する。そして、雄ネジ部材１１のネジ先端部１１Ａが３つの脚部材１２，１２，１２の一端部１２Ａ，１２Ａ，１２Ａを押し下げて、脚部材１２，１２，１２の他端部１２Ｂ，１２Ｂ，１２Ｂを半径方向外向き（図８中の矢印Ｐ，Ｐ方向）に揺動させる。これにより、脚部材１２，１２，１２の他端部１２Ｂ，１２Ｂ，１２Ｂが排水口２６内のドレン２７の内周壁２７Ａに圧接して掛止される。こうして、ストレーナ１がその位置およびその姿勢で固定される。
【００２１】
このとき、濾し部材２は排水口２６を通水可能に塞いでいる。こうして、ストレーナ１はそのときの位置および姿勢（図９参照）に保持される。そして、前記の状態でストレーナ１を使用していると、ベランダ２０内に雨が降ったり枯葉が飛来したりし、飛来した枯葉はストレーナ１の周囲に集まってくる。通常時の雨水は落ち葉などの隙間を通り抜け、更に漉し板部２の通水開口４，４，４，・・・，５，５，５，・・・を通り抜けて排水口２６から排水管へ流出する。一方で、漉し板部２の通水開口４，４，４，・・・は落葉などに塞がれると通気性が著しく悪くなる。このとき、かなりの強風や台風などに見舞われると、通気性の悪くなったストレーナ１は大きな風圧抵抗を受けることになる。しかしながら、このストレーナ１は、固定機構９における雄ネジ部材１１の螺進により、脚部材１２，１２，１２が拡がってドレン２７の内周壁２７Ａに掛止され、しっかりと固定されている。
【００２２】
他方で、豪雨時にベランダ２０内に大量の降雨があり、落葉などの隙間から通水開口４，５を通って流れ込む量よりも床２１上への降雨量が多くなると、床２１上の水位は上昇していく。この場合、雨水の水位が漉し板部２の上面２Ａを超えた高さ、すなわち図９中のほぼＳで示す水位に達すると、雨水は取水口７からオーバーフロー管路６内に流入する。オーバーフロー管路６内を流下した雨水は、通水口８，８，８から濾し部材２の内部空間Ｎに噴出する。濾し部材２の内部空間Ｎに噴出した雨水はドレン２７の排水口２６を経て排水管から建物外に流出するのである。
【００２３】
上記したように、このストレーナ１によれば、固定機構９の雄ネジ部材１１の螺進により、脚部材１２，１２，１２が拡がってドレン２７の内周壁２７Ａに掛止され、しっかりと固定されるので、台風などの強風から受ける高い風圧抵抗に見舞われても、ストレーナ１が排水口２６から外れて飛び去ることを未然に回避することができる。
【００２４】
また、一体構造である筒体部３および濾し部材２がオーバーフロー管路６を備えているので、多量の降雨により通水開口４，５だけで通水処理が賄えなくなったとしても、雨水をオーバーフロー管路６経由で床２１の排水口２６から建物外へ排水することができる。従って、ベランダ２０内で雨水の水位が急激に上昇しても、オーバーフロー管路６を有していることにより、竪壁２２に元々設けられているオーバーフロー管（図示省略）に水位が達するまでの時間を延ばすことができ、激しい豪雨にも余裕をもって対処することができる。そして、オーバーフロー管路６の底部に雄ネジ部材１１を配置したことにより、雄ネジ部材１１をねじ回しなどで回転操作するための操作用空間として、オーバーフロー管路６を兼用できるという利点もある。他方で、雄ネジ部材１１が濾し部材２から突出していないので、飛来してきた落葉や菓子袋などが雄ネジ部材１１に引っ掛かるといったことがない。また、雄ネジ部材１１はオーバーフロー管路６の奥底にあって外部からはほとんど見えないので、製品外観も良くなる。
【００２５】
尚、上記の実施形態では、筒体部３を有するストレーナ１を例示したが、本発明はそれに限定されるものでない。例えば、図１０に示すようなストレーナ１ａも含んでいる。このストレーナ１ａが先述のストレーナ１と構造の異なるところは、筒体部３を持つことなく、支持部５の支持基台１５が漉し板部２ａの下面２Ｂに、漉し板部２ａと一体に形成されていることである。これに伴い、漉し板部２ａの上面２Ａに取水口７は設けられていない。筒体部３が無いぶん、３本の脚部材１２ａ，１２ａ，１２ａは、先述したストレーナ１の脚部材１２よりも長い寸法のものが使用される。そして、固定機構９の支持部５、雄ネジ部材１１などは、先述のストレーナ１と同様の構造である。
このような構成のストレーナ１ａであっても、固定機構９の雄ネジ部材１１の螺進により、脚部材１２，１２，１２が拡がってドレン２７の内周壁２７Ａに掛止され、しっかりと固定されるので、強風などによりストレーナ１ａが排水口２６から外れて飛び去るという不具合を未然に回避することができる。
【００２６】
また、本発明は図１１〜図１４に示すようなストレーナ１ｂも含んでいる。このストレーナ１ｂの漉し板部２ｂは、平面視で半円形状に分割形成された水平板部３０Ａと垂直板部３０Ｂとから構成されている。水平板部３０Ａおよび垂直板部３０Ｂには、複数の通水開口４０，４０，４０，・・・がそれぞれ形成されている。そして、水平板部３０Ａの枢支側端部の両側の挿通孔３７，３７を通されたボルト３８，３８が、垂直板部３０Ｂの枢支側端部の両側の挿通孔３９，３９を更に通されてナット４１，４１で螺止されることにより角度可変に固定されるようになっている。漉し板部２ｂの垂直板部３０Ｂには、支持部５と、３本の脚部材１２，１２，１２と、雌ネジ部材１１とから成る固定機構９が、設けられている。垂直板部３０Ｂの左右中央部には、前後方向に延びる長穴４７が形成されている。固定機構９における支持部５の支持基台１５ａは、下面に天井面１９を有する円盤状に形成されていて、垂直板部３０Ｂとは別個独立に構成されている。この支持基台１５ａの上面１５Ｂには、上向きに突出した凸条部１５Ｔが形成されている。この凸条部１５Ｔは、垂直板部３０Ｂの長穴４７に嵌合する形状および大きさに形成されている。そして、支持基台１５ａには、凸条部１５Ｔの上面から下面まで貫通する雌ネジ部１６が形成されている。
【００２７】
凸条部１５Ｔの上面であって雌ネジ部１６の両側には、雌ネジ穴４５，４５が形成されている。この固定機構９における支持基台１５ａの下面に、雌ネジ部１６と連通する天井面１９が形成され、蓋部材３１を固定するための雌ネジ穴１８およびボルト３４を備えているのは、先述した支持基台１５（図８など参照）と同様である。従って、この場合も雌ネジ部１６は支持部５内の支持用空間Ｌと垂直板部３０Ｂの外部空間とを連通している。尚、支持基台１５ａにおいて、先述の支持基台１５と同じ機能を有する構成要素には同じ符号を付してある。
上記した構成の固定機構９は垂直板部３０Ｂの背面に配置されて、支持基台１５ａの凸条部１５Ｔが垂直板部３０Ｂの長穴４７に装入され、支持基台１５ａの上面１５Ｂが垂直板部３０Ｂの背面にあてがわれる。その状態で、凸条部１５Ｔの上方に固定用板４２が配置される。そして、固定用板４２の挿通孔４４，４４を通されたボルト４６，４６が凸条部１５Ｔの雌ネジ穴４５，４５にそれぞれ螺止されることにより、垂直板部３０Ｂが支持基台１５ａの上面１５Ｂと固定用板４２の下面との間に挟まれて、支持基台１５ａが垂直板部３０Ｂに固定される。更に、雄ネジ部材１１が、固定用板４２の挿通孔４３を通されたのちに支持基台１５ａの雌ネジ部１６と螺合する。
【００２８】
使用に際しては、図１３および図１４に示すように、ほぼ水平姿勢の水平板部３０Ａに対し垂直板部３０Ｂがほぼ直角に立てられた姿勢で、水平板部３０Ａの挿通孔３７および垂直板部３０Ｂの挿通孔３９を通されたボルト３８が、ナット４０により螺止されることによって、ストレーナ１ｂが側面視Ｌ字状の姿勢に保持・固定される。側面視Ｌ字状の姿勢にされたストレーナ１ｂは、水平板部３０Ａがベランダ２０の床２１のドレン２７上に載せられ、垂直板部３０Ｂの固定機構９の脚部材１２，１２，１２が竪壁２２のオーバーフロー管２８（排水口の別例）に装入される。そして、固定機構９の雄ネジ部材１１が支持基台１５ａの雌ネジ部１６にネジ込まれることにより、脚部材１２，１２，１２が拡がってオーバーフロー管２８の内周壁に掛止される。従って、ストレーナ１ｂは、竪壁２２のオーバーフロー管２８に、しっかりと固定されるという利点がある。
【００２９】
尚、上記では、３つの脚部材１２，１２，１２を用いた例を示したが、２つの脚部材または４つ以上の脚部材を、固定機構の支持部に支持させるようにしても構わない。
また、上記では、ストレーナ１をベランダ２０に用いた例を示したが、本発明のストレーナはそれに限定されるものでなく、例えば水平ルーフなどに設けられた排水口を蓋う場合にも適用可能である。
【符号の説明】
【００３０】
１，１ａ，１ｂ  ストレーナ
２，２ａ，２ｂ  漉し板部
２Ｂ  下面
３  筒体部
３Ａ  底部
４  通水開口
５  支持部
６  オーバーフロー管路
７  取水口
８  通水口
９  固定機構
１１  雄ネジ部材
１１Ａ  ネジ先端部
１２  脚部材
１２Ａ  一端部
１２Ｂ  他端部
１２Ｃ  枢支用凹部
１５，１５ａ  支持基台
１６  雌ネジ部
１７  枢支用凸部
２１  床（屋外床の例）
２６  排水口
２７  ドレン
２７Ａ  内周壁
２８  オーバーフロー管（排水口の別例）
３０Ａ  水平板部
３０Ｂ  垂直板部
３１  蓋部材
３２  傾斜受面
４２  固定用板
Ｌ  支持用空間
Ｎ  内部空間
Ｍ  外部空間
Ｐ  矢印
Ｒ  矢印
【図１】
2015001055.tif 000003
【図２】
2015001055.tif 000004
【図３】
2015001055.tif 000005
【図４】
2015001055.tif 000006
【図５】
2015001055.tif 000007
【図６】
2015001055.tif 000008
【図７】
2015001055.tif 000009
【図８】
2015001055.tif 000010
【図９】
2015001055.tif 000011
【図１０】
2015001055.tif 000012
【図１１】
2015001055.tif 000013
【図１２】
2015001055.tif 000014
【図１３】
2015001055.tif 000015
【図１４】
2015001055.tif 000016
【図１５】
2015001055.tif 000017